(57)【特許請求の範囲】
【請求項１】
分岐器（６）を備える、扁平な送付物（４）のための送付物選別機（２）であって、前記送付物（４）は、サンドイッチベルトシステム（１０）の各搬送ベルト（８）間に挟み込み可能であり、このようにして前記分岐器（６）まで搬送可能であると共に、２つの方向（１２ａ，１２ｂ）のうちの一方へ選択的に搬出可能であるものにおいて、
前記分岐器（６）は、互いに分離されて駆動可能な２つの分岐器翼（１４ａ，１４ｂ）を有しており、
前記２つの分岐器翼（１４ａ，１４ｂ）の旋回角度（２６ａ，２６ｂ）が互いに独立して調節することができることを特徴とする、送付物選別機（２）。
【請求項２】
各前記送付物（４）は、同じおよび／または異なる寸法を有している、請求項１記載の送付物選別機（２）。
【請求項３】
前記搬送ベルト（８）は、前記送付物（４）を部分的にしか覆っておらず、前記分岐器翼（１４ａ，１４ｂ）は、前記送付物（４）の、前記搬送ベルト（８）によって覆われていない範囲に作用する、請求項１または２記載の送付物選別機（２）。
【請求項４】
前記分岐器翼（１４ａ，１４ｂ）は、それぞれ異なる旋回軸（２８ａ，２８ｂ）を有している、請求項１から３までのいずれか１項記載の送付物選別機（２）。
【請求項５】
前記旋回軸（２８ａ，２８ｂ）は、それぞれ搬送ベルト範囲（３０）の外側に配置されている、請求項４記載の送付物選別機（２）。
【請求項６】
前記分岐器翼（１４ａ，１４ｂ）は、前記送付物（４）を前記２つの方向（１２ａ，１２ｂ）のうちの一方に向ける前記分岐器翼（１４ａ，１４ｂ）の安定位置に自動的に戻るように構成されている、請求項１から５までのいずれか１項記載の送付物選別機（２）。
【請求項７】
前記分岐器翼（１４ａ，１４ｂ）の各駆動装置は、封書流し板（２０）の下側に位置決め可能である、請求項１から６までのいずれか１項記載の送付物選別機（２）。
【請求項８】
分岐器（６）を備えた、扁平な送付物（４）のための送付物選別機（２）の運転方法であって、前記送付物（４）は、サンドイッチベルトシステム（１０）の各搬送ベルト（８）間に挟み込み可能であり、このようにして前記分岐器（６）まで搬送可能であると共に、２つの方向（１２ａ，１２ｂ）のうちの一方へ選択的に搬出可能である方法において、
前記分岐器（６）は、互いに分離されて駆動可能な２つの分岐器翼（１４ａ，１４ｂ）を有しており、これらの分岐器翼（１４ａ，１４ｂ）は、前記送付物（４）の変向に用いられ、
前記２つの分岐器翼（１４ａ，１４ｂ）の旋回角度（２６ａ，２６ｂ）を互いに独立して調節することができ、且つ、前記２つの分岐器翼（１４ａ，１４ｂ）は、それぞれ異なる旋回軸（２８ａ，２８ｂ）を有していることを特徴とする、方法。
【請求項９】
分岐搬送ベルト（８ｂ）に配置されていない方の分岐器翼（１４ａ）を、分岐搬送ベルト（８ｂ）に向かって旋回させることにより、前記送付物（４）の変向が行われる、請求項８記載の方法。
【請求項１０】
前記送付物（４）が、前記分岐器（６）の範囲で非分岐搬送ベルト（８ａ）にもたらされる前と、もたらされ始めるときとにおいて、前記非分岐搬送ベルト（８ａ）に配置された方の前記分岐器翼（１４ａ）は、搬送ベルト範囲（３０）の完全に外側に位置している、請求項８又は９記載の方法。
【請求項１１】
分岐搬送ベルト（８ｂ）に配置されていない方の前記分岐器翼（１４ａ）の戻しは、各前記分岐搬送ベルト（８ｂ）内に送付物前縁が挟み込まれ始めるとき、又は挟み込まれる直前には、既に始まっている、請求項８から１０までのいずれか１項記載の方法。
【請求項１２】
分岐搬送ベルト（８ｂ）に配置された方の前記分岐器翼（１４ｂ）は、送付物前縁が各前記分岐搬送ベルト（８ｂ）内に十分に挟み込まれた後に初めて戻り始める、請求項８から１１までのいずれか１項記載の方法。
【請求項１３】
分岐搬送ベルト（８ｂ）に配置された方の前記分岐器翼（１４ｂ）を、送付物前縁が各前記分岐搬送ベルト（８ｂ）内に十分に挟み込まれてから戻すことにより、前記分岐搬送ベルト（８ｂ）間にまだ挟み込まれていない前記送付物（４）の部分が、非分岐搬送ベルト（８ａ）に向かって曲げられる、請求項８から１２までのいずれか１項記載の方法。
【発明の詳細な説明】
【技術分野】
【０００１】
本発明は、扁平な送付物のための送付物選別機の技術分野に関する。
【背景技術】
【０００２】
送付物選別機は、例えば葉書、封書および大型封書等の郵送物を選別して、それぞれ異なる仕分け棚に仕分ける。郵送物の場合は大抵、目的地に応じて仕分けが行われる。送付物は、典型的には鉛直方向に向けられて、サンドイッチベルトシステムの搬送ベルト間に挟み込まれて搬送される。重たい送付物は、付加的に送付物の流れに沿って配置された、一貫して延びる表面下ベルトまたは滑り面によって支持する必要がある。送付物の流れは分岐器によって分割され、分岐器は、妨害輪郭体を成してはならないので、有利には表面下ベルトまたは滑り面の隣または上に配置される。
【０００３】
送付物の流れの隣に配置される、連行流分岐器として形成された分岐器は、一貫して延びる表面下ベルトおよび／または滑り面を許可しない。この分岐器は、手間がかかりひいては費用がかさむ、質量慣性モーメントの大きなダブル分岐器翼を有しているので、高出力の、ひいては高価な駆動装置を必要とする。送付物の流れの上側、ひいては最も高さのある、処理されるべき送付物の上側に配置される、互いに平行なままの２つの分岐器翼を備えた分岐器は、分岐器翼が着座する長い軸を必要とする。斜めになって進む、高さのある送付物は、分岐器の構造体にぶつかる恐れがある。故障または保守整備の際の、送付物の流れに対するアプローチは、極度に悪くなっている。
【発明の概要】
【発明が解決しようとする課題】
【０００４】
よって、本発明の根底を成す課題は、分岐器の範囲において、送付物の流れに対するアプローチの改善、一貫して延びる表面下ベルトおよび滑り面、小さな送付物間隔、および簡単かつ有利な分岐器駆動装置を可能にすることにある。
【課題を解決するための手段】
【０００５】
本発明による構成は、分岐器を備える、扁平な送付物のための送付物選別機を想定しており、送付物は、サンドイッチベルトシステムの各搬送ベルト間に挟み込み可能であり、このようにして分岐器まで搬送可能であり、かつ２つの方向のうちの一方へ選択的に搬出可能である。分岐器翼の、異なる時点での制御を可能にするために、分岐器は、互いに分離されて駆動可能な２つの分岐器翼を有している。
【０００６】
有利な実施形態では、送付物選別機の幅広い使用分野を可能にするために、各送付物は同じおよび／または異なる寸法を有していてよい。
【０００７】
分岐器翼が送付物にしか作用せず、搬送ベルトには作用しない、有利な実施形態を可能にするために、搬送ベルトは、送付物を部分的にしか覆っていなくてよく、分岐器翼は送付物の、搬送ベルトによって覆われていない範囲に作用することができるようになっている。
【０００８】
各分岐器翼を互いに独立して方向付けることができるようにするために、別の実施形態では、２つの分岐器翼が、それぞれ異なる旋回角度を有していてよい。つまり、各分岐器翼は、必ずしも互いに平行に向けられているのではなく、一方の分岐器翼の方向付けを、他方の分岐器翼の方向付けとは関係無く行うことができるようになっている。
【０００９】
さらに別の実施形態では、送付物選別機における個々の分岐器翼の最適な位置決めは、各分岐器翼が、それぞれ異なる旋回軸を有していてよいことによって達成される。
【００１０】
本発明のさらに別の有利な実施形態では、各旋回軸は、それぞれ搬送ベルト範囲の外側に配置されていてよい。これにより、送付物の流れに対する妨害輪郭体を成すことのない、一貫して延びる表面下ベルトおよび滑り面が、特に簡単に可能になる。
【００１１】
特に簡単かつ廉価な駆動装置を可能にするために、本発明のさらに別の実施形態では、分岐器翼の各駆動装置は、それぞれ単安定（monostabil）であってよい。
【００１２】
有利な実施形態では、分岐器翼が着座する極めて短い軸と、保守整備の際の、駆動装置に対する簡単なアプローチとは、分岐器翼の各駆動装置が、封書流し板の下側に位置決め可能であってよいことに基づき可能になる。
【００１３】
方法に関して、上記課題は本発明に基づき、分岐器を備えた、扁平な送付物のための送付物選別機の運転方法により解決される。送付物は、サンドイッチベルトシステムの各搬送ベルト間に挟み込み可能であり、このようにして分岐器まで搬送可能であると共に、２つの方向のうちの一方へ選択的に搬出可能である。分岐器は、互いに分離されて駆動可能な、送付物の変向に用いられる２つの分岐器翼を有している。
【００１４】
送付物を、分岐搬送ベルトに配置されていない方の分岐器翼でもって分岐搬送ベルトの方に向けるために、別の実施形態では、分岐搬送ベルトに配置されていない方の分岐器翼を、分岐搬送ベルトに向かって旋回させることにより、送付物の変向が行われてよい。
【００１５】
分岐搬送ベルトに配置された方の分岐器翼により、送付物を分岐搬送ベルト内へもたらすことが妨害されないようにするために、さらに別の有利な実施形態では、分岐器の範囲内での、送付物の分岐搬送ベルト内への導入前および導入開始時に、分岐搬送ベルトに配置された方の分岐器翼は、搬送ベルト範囲の完全に外側に位置していてよい。
【００１６】
高い搬送速度と同時に極めて小さな送付物間隔を可能にするために、本発明の好適な実施形態では、分岐搬送ベルトに配置されていない方の分岐器翼が、その戻し位置に再び迅速に位置するようになっていると有利である。このために、各分岐搬送ベルト内に送付物前縁が挟み込まれ始めるとき、又は挟み込まれる直前には、分岐搬送ベルトに配置されていない方の分岐器翼の戻しが既に始まっていてよい。送付物が分岐搬送ベルト内に十分良好にもたらされると、戻しは直ちに行われてよい。
【００１７】
分岐搬送ベルトに配置された方の分岐器翼を、その戻し位置に再び迅速にもたらすために、本発明のさらに別の実施形態では、分岐搬送ベルトに配置された方の分岐器翼は、送付物前縁が各分岐搬送ベルト内に十分に挟み込まれた後に初めて、戻り始めてよい。十分な挟込みに基づき、戻しにより送付物が各分岐搬送ベルトから不都合に引き出され、次いで案内されずに搬送ベルト範囲内に位置することになるという危険は一切生じない。
【００１８】
さらに別の実施形態では、分岐搬送ベルトに配置された方の分岐器翼が、既にその戻し位置に位置することができるようになってから、送付物が分岐器の範囲から搬出されるようになっていることにより、なお一層小さな送付物間隔が可能になる。このことを達成するために、分岐搬送ベルトに配置された方の分岐器翼を、送付物前縁が各分岐搬送ベルト内に十分に挟み込まれてから戻すことにより、分岐搬送ベルト間にまだ挟み込まれていない送付物部分が、非分岐搬送ベルトに向かって曲げられてよい。
【００１９】
以下に、本発明の好適な実施形態を、図面に基づき例を挙げて、より詳しく説明する。
【図面の簡単な説明】
【００２０】
【図１】送付物選別機の一部を上から見た概略図である。
【図２】図１に示した送付物選別機を、分岐搬送方向に送付物を搬送する場合に戻り始める分岐器翼と共に示す図である。
【図３】図１および図２に示した送付物選別機であって、分岐器翼が戻ることにより、分岐搬送方向に運ばれる送付物が曲げられるところを示す図である。
【図４】図１、図２および図３に示した送付物選別機であって、分岐器翼が戻り始めることにより、主搬送方向に運ばれる送付物が曲げられるところを示す図である。
【発明を実施するための形態】
【００２１】
図１には、分岐器６を備えた、扁平な送付物４のための送付物選別機２の一部が示されている。送付物４は、サンドイッチベルトシステム１０の各搬送ベルト８間に挟み込み可能であり、このようにして搬送方向１２で分岐器６まで搬送可能である。送付物４は、互いに分離されて駆動可能な２つの分岐器翼１４ａ，１４ｂを有する分岐器６により、２つの方向１２ａ，１２ｂのうちの一方へ、選択的に搬出可能である。
【００２２】
搬送ベルト８は、送付物４を部分的にしか覆っていない。分岐器翼１４ａ，１４ｂは、送付物４の、搬送ベルト８によって覆われていない範囲に作用する。つまり、分岐器翼１４ａ，１４ｂは、搬送ベルト８に作用するのではなく、送付物４に直接に作用する。
【００２３】
各送付物４は同じおよび／または異なる寸法を有しており、このことは送付物選別機２に、幅広い使用分野を可能にする。送付物４は、有利にはある程度の柔軟性を有しており、これにより、サンドイッチベルトシステム１０を用いて運ぶことができると共に、分岐器６を用いて変向させることができる。
【００２４】
間に送付物４を挟み込んで分岐器６に向かって搬送する２つの搬送ベルト８は、変向ローラ１６を介して、主搬送方向１２ａの搬送ベルト８ａと、分岐搬送方向１２ｂの搬送ベルト８ｂとに分かれて変向される。分岐器６の範囲では、送付物４は一方の搬送ベルト８ａまたは８ｂにしか接触しておらず、分岐器６を通過してからは、各２つの搬送ベルト８ａまたは８ｂの間に挟み込まれている。送付物４を主搬送方向１２ａまたは分岐搬送方向１２ｂに案内する分岐器６は、搬送方向１２で見て変向ローラ１６の下流側であって、図面では変向ローラ１６の右側に配置されている。さらに搬送方向１２で見て、または図面においてさらに右側にもやはり、変向板１８が配置されており、この変向板１８は、分岐器６に加えて付加的に、送付物４に対する案内機能を果たす。搬送方向１２で見て変向板１８の下流側に配置された２つの変向ローラ１６ａ，１６ｂは、各１つの別の搬送ベルト８ａ，８ｂを導入しており、これにより、送付物４は、変向板１８を通過した後に再び、主搬送方向１２ａの２つの搬送ベルト８ａまたは分岐搬送方向１２ｂの２つの搬送ベルト８ｂの間にそれぞれ挟み込まれて搬送可能である。
【００２５】
送付物選別機２は、封書流し板２０上に配置されている。分岐器翼１４ａ，１４ｂの各駆動装置は、封書流し板２０の下側に配置可能である。これにより、分岐器翼１４ａ，１４ｂが着座する軸の軸受を、極めて簡単に実現することができる。つまり、軸は表面下ベルトまたは滑り面に隣接して配置されていてよく、よって特に簡単に一貫して延びることができるようになっている。送付物４は、まずライトバリア２２を通過し、ライトバリア２２により検出され、これにより、分岐器６の範囲にもたらされたことが示される。このことは、分岐器６の制御を、場合によりある程度の時間的な遅れを伴って生じさせ、これにより、正確に正しい時点で制御が行われることになる。送付物選別機の処理量に関して最小の送付物間隔２４（図２参照）を得ようとする場合には、すぐ前の送付物４ｂが分岐器６からまだ脱出していない時点で既に、分岐器翼１４ａ，１４ｂの戻しを行わねばならない。
【００２６】
図１に戻り、両分岐器翼１４ａ，１４ｂは、それぞれ異なる旋回角度２６ａ，２６ｂを有している。つまり、これらの旋回角度２６ａ，２６ｂは、互いに独立して調節することができる。分岐器翼１４ａ，１４ｂはさらに、それぞれ異なる旋回軸２８ａ，２８ｂを有しており、このことは、送付物選別機２において旋回軸２８ａ，２８ｂを最適に位置決めすることができるという利点を有している。旋回軸２８ａ，２８ｂは、ここでは搬送ベルト範囲３０の外側に最適に配置されており、これにより、分岐器翼１４ａ，１４ｂが、サンドイッチベルトシステム１０に挟み込まれた送付物４に対する妨害輪郭体を成すことはなくなる。分岐器翼１４ａまたは１４ｂの旋回軸２８ａまたは２８ｂは、搬送ベルト範囲３０の外側の、搬送ベルト８ａまたは８ｂのわき、すなわち図面では搬送ベルト８の上側または下側に配置されている。
【００２７】
搬送ベルト範囲３０の外側に旋回軸２８ａ，２８ｂを配置したことにより、両分岐器翼１４ａ，１４ｂを、搬送ベルト範囲３０の完全に外側に配置することが可能になる。つまり、主搬送方向１２ａの搬送ベルト８ａに配置された分岐器翼１４ａは、図面では、搬送ベルト８の完全に上側に配置されていてよく（実線）、分岐搬送方向１２ｂの搬送ベルト８ｂに向かって下方に変向させることができる（破線）。分岐搬送方向１２ｂの搬送ベルト８ｂに配置された分岐器翼１４ｂは、図面では、搬送ベルト８の完全に下側に配置されていてよく（破線）、主搬送方向１２ａの搬送ベルト８ａに向かって上方に変向させることができる（実線）。
【００２８】
分岐器翼１４ａを搬送ベルト範囲３０の完全に外側にセットすると共に、分岐器翼１４ｂを搬送ベルト範囲３０の内側で搬送ベルト８ａ付近にセットすることにより、送付物４ａは決められた通りに、主搬送方向１２ａひいては搬送ベルト８ａに向けられることになる。このことは、図面では実線で表されている。
【００２９】
同様に、分岐器翼１４ｂを搬送ベルト範囲３０の完全に外側にセットすると共に、分岐器翼１４ａを搬送ベルト範囲３０の内側で搬送ベルト８ｂ付近にセットすることにより、送付物４ｂは決められた通りに、分岐搬送方向１２ｂひいては搬送ベルト８ｂに向けられることになる。このことは、図面では破線で表されている。
【００３０】
分岐器６を通過すると、送付物４ａ，４ｂは２つの方向１２ａ，１２ｂへ、図面ではさらに右側に向かって搬送される。
【００３１】
とりわけ、送付物４が主に２つの方向１２ａ，１２ｂのうちの一方に搬送される場合には、分岐器翼１４ａ，１４ｂの、それぞれが単安定の駆動装置を選択することが有利である。なぜならば、これにより分岐器翼１４ａ，１４ｂが自動的に戻る安定位置が選択されるからであり、この安定位置に基づき、送付物は２つの方向１２ａ，１２ｂのうち、搬送が主に行われる一方向に向けられるようになっている。
【００３２】
図２には、図１に示した送付物選別機２の運転方法の一実施形態が示されている。分岐器６は、互いに分離されて駆動可能な２つの分岐器翼１４ａ，１４ｂを有しており、これらの分岐器翼１４ａ，１４ｂは、送付物４の変向に用いられる。分岐搬送方向１２ｂに搬送される送付物４ｂが、ちょうど分岐器６を通過しているところである。この送付物４ｂには、最小の送付物間隔２４をあけて、別の送付物４ｃが続いている。送付物４ｂの送付物前縁は、分岐搬送系統の搬送ベルト８ｂ内に、辛うじて安定的な挟込みを可能にする最小の挟込み長さ３２でもって挟み込まれている。つまり、分岐搬送ベルト８ｂに配置されていない方の分岐器翼１４ａの戻しは、分岐搬送ベルト８ｂ内への送付物４ｂの送付物前縁の挟込みの開始時または直前には、既に始まっている。
【００３３】
図３には、図１および図２に示した送付物選別機２が示されている。図２に示した送付物４ｂは引き続き、分岐搬送方向１２ｂに運ばれ、図２に比べると、今は図面においてさらに右側に位置している。後続の送付物４ｃは、すぐ前の送付物４ｂが分岐器６からまだ脱出していないにもかかわらず、既に分岐器６の範囲にもたらされている。分岐搬送ベルト８ｂに配置された方の分岐器翼１４ｂの戻しは、分岐搬送ベルト８ｂ内への送付物前縁の挟込みの開始時または直前には、既に始まっている。分岐搬送ベルト８ｂ内に送付物前縁が十分に挟み込まれてから、分岐搬送ベルト８ｂに配置された方の分岐器翼１４ｂが戻ることにより、分岐搬送ベルト８ｂ間にまだ挟み込まれていない送付物４ｂの部分は、非分岐搬送ベルト８ａに向かって曲げられることになる。これにより、極めて短い送付物間隔ひいてはより短い切替え間隔が可能になる。それというのも、送付物４ｂがまだ分岐器６の範囲にあるにもかかわらず、分岐器翼１４ｂは既に非分岐搬送ベルト８ａに向かってセットされているからである。次いで、後続の送付物４ｃを、主搬送方向１２ａに運びたい。このために、送付物４ｃが分岐器６の範囲で非分岐搬送ベルト８ａにもたらされる前と、もたらされ始めるときとにおいて、非分岐搬送ベルト８ａに配置された方の分岐器翼１４ａは、搬送ベルト範囲３０の完全に外側に位置している。
【００３４】
図４には、既に図１、図２および図３に示した送付物選別機２が示されている。図３に示した後続の送付物４ｃは、主搬送方向１２ａの搬送ベルト８ａ内に既に十分に挟み込まれているが、分岐器６の範囲からまだ脱出してはいない。次いで、別の後続の送付物４ｄを、分岐搬送方向１２ｂに運びたい。よってこの場合は、送付物４ｃがまだ分岐器翼１４ａの作用範囲内にある時点で既に、分岐器翼１４ａの戻しが行われ、これにより送付物４ｃは、分岐搬送ベルト８ｂに向かって曲げられる。したがって、分岐器翼１４ａは、比較的早い時点で既に切り替えられてよい。図４に示した状態に引き続き、分岐搬送ベルト８ｂに配置されていない方の分岐器翼１４ａが分岐搬送ベルト８ｂに向かって早期に旋回されることにより、送付物４ｄが、分岐器６の分岐搬送方向１２ｂに変向され、このことは極めて短い送付物間隔を可能にする。原則として、両分岐器翼１４ａ，１４ｂを同時に旋回させることもできるが、分岐器翼１４ａは送付物４ｄに対する主案内機能を担っているので、分岐器翼１４ａの旋回は、少なくとも最後に行われるべきではない。
【００３５】
本発明の一実施形態では、分岐器翼１４ａ，１４ｂの各駆動装置の加速開始時の最大給電が、時間的にずらされていてよい。それというのも、分岐器翼１４ａ，１４ｂは互いに分離されて駆動可能であるからである。これにより、電圧源に相応して容量を小さく選択することができる。
【００３６】
本発明の一実施形態では、分岐器６が、分離されて駆動可能な２つの分岐器翼１４ａ，１４ｂを備えて形成されていることにより、分岐器翼１４ａ，１４ｂの、加速されるべき質量慣性モーメントが、単一の駆動装置しか有さない分岐器６の質量慣性モーメントより何倍も小さくなっていてよい。これにより、分岐器翼１４ａ，１４ｂの各駆動装置の所要バッテリ定格出力は、大幅に低くなっていてよい。さらに、個々の分岐器翼１４ａ，１４ｂの構成も極めて簡単でありひいては廉価である。
【００３７】
本発明の一実施形態では、分岐器翼１４ａ，１４ｂの各駆動装置は、２つの調節可能な設定を有している。
【００３８】
本発明の好適な実施形態では、送付物４に対する分岐器翼１４ａ，１４ｂの、各搬送方向１２への案内機能は、それぞれの駆動装置が最適化されている場合に、最適に果たされる。分岐する各搬送系統を非対称的に配置した結果、従来技術では同時に実現することが困難でしかない、または全くできない、両搬送系統に対して同時に等しく良好に最適化された案内機能が実現可能である。
【符号の説明】
【００３９】
２  送付物選別機
４  送付物
４ａ  主搬送方向１２ａに向けられた送付物
４ｂ  分岐搬送方向１２ｂに向けられた送付物
４ｃ  後続の送付物
４ｄ  別の後続の送付物
６  分岐器
８  搬送ベルト
８ａ  主搬送方向１２ａの搬送ベルト
８ｂ  分岐搬送方向１２ｂの搬送ベルト
１０  サンドイッチベルトシステム
１２  搬送方向
１２ａ  主搬送方向
１２ｂ  分岐搬送方向
１４ａ  搬送ベルト８ａに配置された分岐器翼
１４ｂ  搬送ベルト８ｂに配置された分岐器翼
１６  変向ローラ
１６ａ  搬送ベルト８ａの変向ローラ
１６ｂ  搬送ベルト８ｂの変向ローラ
１８  変向板
２０  封書流し板
２２  ライトバリア
２４  最小の送付物間隔
２６ａ  分岐器翼１４ａの旋回角度
２６ｂ  分岐器翼１４ｂの旋回角度
２８ａ  分岐器翼１４ａの旋回軸
２８ｂ  分岐器翼１４ｂの旋回軸
３０  搬送ベルト範囲
３２  最小の挟込み長さ
【図１】
0006542395.tif 000002
【図２】
0006542395.tif 000003
【図３】
0006542395.tif 000004
【図４】
0006542395.tif 000005